(57)【要約】【課題】電池出力を手で触ったり導電物で電池の出力端をショートさせても電池がショートされない、安全な電子機器の電源供給方法、電源供給システムおよびバッテリーユニットを提供する【解決手段】デジタルカメラ１０には情報を送出する無線タグ１２を備え、電池パック１１には情報を取得する無線タグリーダー１３を備える。無線タグリーダー１３が情報を取得すると電池パック１１はＦＥＴ１２０をオンして電力供給を行い、無線タグリーダー１３が情報を取得できないときにはＦＥＴ１２０をオフして電池パック１１の出力手段を遮断し、電力供給を停止する。【選択図】    図４
2004304975.tif 000002
【特許請求の範囲】
【請求項１】
バッテリーユニットを用いる電子機器の電源供給方法であって、
前記電子機器に取り付けられた情報提供手段から情報を送信し、
該情報を前記バッテリーユニットに備えた情報取得手段によって受信し、
前記情報取得手段を介して取得した前記情報に基づいて前記電子機器を確認し、
前記電子機器を認識できなければ前記バッテリーユニットからの電源供給を遮断する一方、前記電子機器を認識できたときに前記バッテリーユニットからの電力供給を実行するように前記バッテリーユニットの出力開閉部を制御することを特徴とする電子機器の電源供給制御方法。
【請求項２】
バッテリーユニットを使用する電子機器の電源供給システムであって、
前記電子機器は、前記バッテリーユニットが着脱自在に装着されるバッテリー装着部と、前記バッテリーユニットに対して情報を送出する情報提供手段と、を備え、
前記バッテリーユニットは、前記電子機器に対する電源の供給および遮断を切り換える出力開閉手段と、
前記情報提供手段から送出される情報を取得する情報取得手段と、
前記情報取得手段から取得した情報に基づいて、前記出力開閉手段の開閉制御を行う出力制御手段と、
を備えたことを特徴とする電子機器の電源供給システム。
【請求項３】
電子機器に使用されるバッテリーユニットであって、
電圧および電流の供給源となる電池セルと、
前記電子機器に接続されることにより前記電池機器に電流および電圧供給を行う電池出力端子と、
前記電子機器に対する電源の供給および遮断を切り換える出力開閉手段と、
前記電子機器から発信される情報を取得する情報取得手段と、
前記情報取得手段が取得した前記情報に基づいて、前記出力開閉手段の開閉制御を行う出力制御手段と、
を備えたことを特徴とするバッテリーユニット。
【請求項４】
前記電子機器本体に前記バッテリーユニットが装填されたか否かを検出する本体装填検出手段と、
前記本体装填検出手段が前記バッテリーユニットの前記電子機器への装填を検出すると前記情報取得手段へ前記電池セルから電源供給を行う電源供給手段と、
を備えたことを特徴とする請求項３記載のバッテリーユニット。
【請求項５】
前記情報取得手段は、非接触の信号伝送形式よって前記情報提供手段から送出される電子機器情報を受け取る手段であることを特徴とする請求項３または４記載のバッテリーユニット。
【発明の詳細な説明】
【０００１】
【発明の属する技術分野】
本発明は電子機器の電源供給方法、電源供給システムおよびバッテリーユニットに係り、特に電池を使用する電子機器において、電池の出力保護が可能な電子機器の制御技術に関する。
【０００２】
【従来の技術】
近年、種々の電子機器の電源としてニッケル水素電池やリチウムイオン電池等の充電可能な二次電池が幅広く使用されている。高エネルギー密度を持つ二次電池は電池の正極と負極を短絡させると爆発等の危険があり、様々な保護装置が設置されている。前述した保護回路には保護回路用の専用ＩＣなどが内蔵されており、その結果二次電池の製造コストが高くなっている。
【０００３】
特許文献１に開示されたポータブル機器は、バッテリパックに保護回路基板を収納し、バッテリパックの下ケースには電極に対応して端子挿通孔が設けられ、機器本体には前記端子挿通孔に対応してバネ端子が設けられており、機器本体にバッテリパックを装着するとバネ端子と電極が挿通孔を通して接触し通電するバッテリパックの構造と機器本体の構造を開示している。
【０００４】
また、特許文献２に開示された正特性温度素子を備えた電池保護装置は、正特性温度素子の平板状のリードの上に、過充電、過放電、過電流、温度異常の少なくとも１種の異常を検出して電流を遮断する少なくとも１個の保護回路を取り付け、正特性温度素子の動作と電池保護回路素子の動作の二重の安全装置を備えた電池保護装置を開示している。
【０００５】
【特許文献１】
特開平１１−３３９７４１号公報
【０００６】
【特許文献２】
特開平１１−５４１１０号公報
【０００７】
【発明が解決しようとする課題】
しかしながら、二次電池の出力には電子機器を動作させるための電圧が出力せざる得ないので、ユーザが触ったりした際には導電物等で出力をショートさせたりする可能性があり、安全性が確保されていない。
【０００８】
特許文献１に開示されたポータブル機器では、バッテリーの保護装置に保護ＩＣ等は用いず、電極は下ケースにより保護されている。しかしながら、電極に対応して下カバーに挿通孔が設けられているために、挿通孔の大きさや下ケースの厚さによっては、電極を手で触ってしまい電極を短絡してしまうことがあり、また、導電性を持つものが挿通孔に入り電極を短絡してしまうことがあり得る。
【０００９】
特許文献２に開示された正特性温度素子を備えた電池保護装置では、過電流や過放電といった電池の異常状態を検出し、保護回路は異常状態から電池を保護するために設けられている。しかしながら、通常使用時の出力短絡保護については例示されておらず、上述した保護機能では電池の出力端には電圧が出力されるため電池の短絡保護は行われていない。
【００１０】
本発明はこのような事情を鑑みてなされたもので、電池を使用する電子機器において、電池の出力端を短絡させても電池が短絡されない、電子機器の電源供給方法、電源供給システムおよびバッテリーユニットを提供することを目的とする。
【００１１】
【課題を解決するための手段】
本発明は前記目的を達成するために、バッテリーユニットを用いる電子機器の電源供給方法であって、前記電子機器に取り付けられた情報提供手段から情報を送信し、該情報を前記バッテリーユニットに備えた情報取得手段によって受信し、前記情報取得手段を介して取得した前記情報に基づいて前記電子機器を確認し、前記電子機器を認識できなければ前記バッテリーユニットからの電源供給を遮断する一方、前記電子機器を認識できたときに前記バッテリーユニットからの電力供給を実行するように前記バッテリーユニットの出力開閉部を制御することを特徴としている。
【００１２】
本発明によれば、電子機器には情報を送出する情報提供手段を備え、バッテリーユニットには情報を取得する情報取得手段とを備え、情報取得手段が情報を取得すると当該バッテリーユニットは電力供給を行い、情報取得手段が情報を取得できないとバッテリーユニットは出力手段を遮断し、電力供給を停止する。したがって、当該バッテリーユニットは、電子機器からの情報を取得できないと出力手段を遮断するので、出力手段を手で触ったり、導電物でショートさせてもバッテリーがショートされないので安全である。
【００１３】
バッテリーユニットは、バッテリーに制御手段および保護手段を備えて一体形成され、ケースに収められたものやプラスチック等のモールド材料でモールドされたユニット等がある。
【００１４】
また、バッテリーには乾電池等の一次電池やリチウムイオン電池、ニッケルカドミウム電池、ニッケル水素電池等の二次電池がある。
【００１５】
電子機器とは、電子カメラ、携帯電話、ノートパソコン、ＰＤＡなどを含む、二次電池を使用することができる機器である。
【００１６】
情報提供手段は、電子機器内部に内蔵してもよいし、表面の任意の位置に取り付けてもよい。電子機器内部に内蔵した場合には制御手段や電子機器内部の各部との接続が容易である。
【００１７】
同様に、情報取得手段は、バッテリーユニットに内蔵してもよいし、表面の任意の位置に取り付けてもよい。バッテリーユニットから電源の供給を受ける場合には内蔵するとよい。
【００１８】
前記情報には、型式、製造番号、製造年月日等を含む当該電子機器に関する情報がある。
【００１９】
出力開閉部には電気的に出力回路を遮断するものや出力手段を覆うカバー、バリヤ等のメカ的なものがある。出力開閉部は当該二次電池の出力手段を開放、遮断が可能であればよい。
【００２０】
前記目的を達成するために本発明に係る電源供給システムは、バッテリーユニットを使用する電子機器の電源供給システムであって、前記電子機器は、前記バッテリーユニットが着脱自在に装着されるバッテリー装着部と、前記バッテリーユニットに対して情報を送出する情報提供手段と、を備え、前記バッテリーユニットは、前記電子機器に対する電源の供給および遮断を切り換える出力開閉手段と、前記情報提供手段から送出される情報を取得する情報取得手段と、前記情報取得手段から取得した情報に基づいて、前記出力開閉手段の開閉制御を行う出力制御手段と、を備えたことを特徴としている。
【００２１】
本発明によれば、電子機器にバッテリーユニットを装填することができ、当該バッテリーが電子機器に備えられた情報提供手段から情報を受け取ると、受け取った情報に基づいてバッテリーユニットは出力開閉制御を行い、当該電子機器への電力供給制御を行うことができる。
【００２２】
また、前記目的を達成するために本発明に係るバッテリーユニットは、電子機器に使用されるバッテリーユニットであって、電圧および電流の供給源となる電池セルと、前記電子機器に接続されることにより前記電池機器に電流および電圧供給を行う電池出力端子と、前記電子機器に対する電源の供給および遮断を切り換える出力開閉手段と、前記電子機器から発信される情報を取得する情報取得手段と、前記情報取得手段が取得した前記情報に基づいて、前記出力開閉手段の開閉制御を行う出力制御手段と、を備えたことを特徴としている。
【００２３】
本発明によれば、バッテリーユニットには、電子機器から発信される情報を受け取る情報取得手段と、受け取った情報に基づいてバッテリーの出力の開閉制御を行う出力制御手段とを備えたので、当該電子機器から発信される情報により当該バッテリーユニット出力の開閉を行うことができる。
【００２４】
本発明の一態様に係るバッテリーユニットは、前記電子機器本体に前記バッテリーユニットが装填されたか否かを検出する本体装填検出手段と、前記本体装填検出手段が前記バッテリーユニットの前記電子機器への装填を検出すると前記情報取得手段へ前記電池セルから電源供給を行う電源供給手段と、を備えたことを特徴としている。
【００２５】
かかる態様によれば、バッテリーユニットに、バッテリーユニットが電子機器本体に装填されたか否かを検出する本体装填検出手段と、電池セルから情報提供手段への電源供給手段とを備えたので、バッテリーユニットが電子機器本体に装填されると情報提供手段は動作可能になり、情報を発信することができる。
【００２６】
本発明の他の態様に係るバッテリーユニットは、前記情報取得手段は、非接触の信号伝送形式よって前記情報提供手段から送出される電子機器情報を受け取る手段であることを特徴としている。
【００２７】
かかる態様によれば、電子機器情報を非接触の信号伝送形式によって受け取ることができ、ケーブルによる接続の手間がなく便利である。
【００２８】
【発明の実施の形態】
以下、添付図面に従って本発明に係る電子機器の電源供給方法、電源供給システムおよびバッテリーユニットの好ましい実施の形態について説明する。
【００２９】
図１は、本発明の実施形態に係る電源供給システムの概略図である。
【００３０】
図１にはデジタルカメラ１０の他に電池パック１１が示されている。デジタルカメラ１０の図１上で右側面に無線タグ１２備えられており、電池パック１１の内部には破線で示した無線タグリーダー１３が内蔵されている。電池パック１１はデジタルカメラ１０の有する電池ホルダー１４（破線で図示）に装填される。
【００３１】
図２は、デジタルカメラ１０の斜視図である。デジタルカメラ１０の上面には電源スイッチ１６、レリーズボタン１８が備えられている。
【００３２】
デジタルカメラ１０の背面には、ファインダー２０、モードダイヤル２２、右キー２４、左キー２６、上下レバー２８、表示キー３０、キャンセル／戻るキー３２、メニュー／実行キー３４、液晶モニタ（ＬＣＤモニタ）３６が設けられている。また、右側面にはストラップ４０、電源入力端子４２、無線タグ１２が設けられ、左側面にはメモリカードを装着するメモリスロット（図２には不図示）が設けられている。
【００３３】
また、図２には図示されていないが、デジタルカメラ１０の正面には、撮影レンズ、ファインダー窓およびストロボ発光器が備えられている。
【００３４】
デジタルカメラ１０の底面には電池ホルダー１４の電池カバー１５が設けられており、電池パック１１はデジタルカメラ１０の底面から電池ホルダー１４に装着される。電池ホルダー内には、電池入力端子（正極）、電池入力端子（負極）および電池検出端子が備えられている。なお、電池入力端子（正極、負極）および電池検出端子は図２には示されていない。
【００３５】
電池ホルダー１４および電池カバー１５には電池パック１１が装填されると、電池パック１１が固定されるラッチ機構を備えるとよい。
【００３６】
本実施形態では、無線タグ１２をデジタルカメラ１０の表面に設けたが、無線タグ１２の設置位置はデジタルカメラ１０表面に限定されない。デジタルカメラ１０の内部に配置する形態も可能である。
【００３７】
図３は電池パック１１の斜視図である。電池パック１１は内部にリチウムイオン二次電池（電池セル）、制御回路、安全回路および無線タグリーダー１３を有しており、ひとつのケースに収納されている。電池パック１１は表面がプラスチックや樹脂等のモールド材で覆われる形態でもよい。
【００３８】
ケースやモールド材は絶縁機能を有し、内蔵する電池セルや制御回路、安全回路および無線タグリーダー１３を保護できる材質であればよい。
【００３９】
なお、無線タグリーダー１３は図３中破線で示し、電池セル、制御回路、安全回路は図３には示していない。
【００４０】
電池パック１１の表面には電池出力（正極）４６、電池出力（負極）４８、本体検出端子５０、５２が備えられている。
【００４１】
電池パック１１を手で持ったときに誤って電池出力４６、４８に触れないように、表面の凹形状部分に配置されていることが好ましい。図３では本体検出端子５０、５２は凸形状端子になっているが、これらを凹形状端子にすると電池パック１１を手で持ったときに、本体検出端子５０、５２を誤って手で触れることがない。
【００４２】
図４は本発明に係る電子機器の制御システムのブロック図である。
【００４３】
デジタルカメラ１０において、電源スイッチ１６が操作されデジタルカメラ１０の主電源がオンになると、撮像部６０、記録部６２、表示部６４、操作部６６および制御部６８等の各部に電源部７０より電源が供給され、各部が動作可能になる。
【００４４】
撮像部６０は撮像手段７２、信号処理手段７４、ストロボ制御手段７６およびストロボを有している。撮像手段７２は撮影レンズ、ＣＣＤ等から構成され、被写体の光学像を電気信号に変換する。信号処理手段７４は撮像手段７２によって電気信号に変換された画像信号に所定の信号処理を行い、ストロボ制御手段７６はストロボ７８の発光制御を行う。
【００４５】
記録部６２は記憶手段（ＲＡＭ）８０、記録手段（ＲＯＭ）８２、記録媒体（メモリカード）８４を有してしる。ＲＡＭ８０は信号処理を施される画像データや表示装置に表示される画像データの一時記憶を行い、ＲＯＭ８２はデジタルカメラ１０の制御プログラムやパラメータが記録されている。また、メモリカード８４は所定の形式に圧縮された画像データを記録する記録媒体である。
【００４６】
表示部６４は、表示手段（ＬＣＤモニタ）３６、表示手段制御回路８６、バックライト８８、バックライト制御手段９０を有している。ＬＣＤモニタ３６は被写体像のスルー画表示や記録画像のプレビュー表示およびメニュー画面表示等を行い、表示手段制御回路８６はＬＣＤモニタ３６の表示制御を行う。また、バックライト８８はＬＣＤモニタ３６のバックライトとして機能し、バックライト制御手段９０はバックライト８８の制御を行う。
【００４７】
操作部６６は図１に示した電源スイッチ１６およびレリーズボタン１８、モードダイヤル２２や右キー２４、上下レバー２８、左キー２６等の操作ボタン、操作レバーをすべて含んだ操作手段９２を有している。操作手段９２の何れかが操作されると、当該操作手段から出力される操作信号が制御部６８に送られる。
【００４８】
制御部６８は、ＣＰＵ９４およびＣＰＵ９４の周辺回路（不図示）を有し、デジタルカメラ１０の統括制御を行っている。
【００４９】
制御部６８は操作部６６から送られる操作信号を受け、該当する各部に制御信号を送ったり、あるいはＲＯＭ８２に記録されているプログラムを実行したりする。
【００５０】
電源部７０は電源回路９６、電源制御手段９８、電池充電手段１００および電池電圧検出手段１０４を有している。
【００５１】
電源回路９６は電源入力端子４２および電池端子（正極）１０６、電池端子（負極）１０８に接続され、電源入力端子４２に接続されるＡＣアダプターあるいは電池端子１０６、１０８に接続される電池パック１１の何れか一方から電源供給され、デジタルカメラ１０内の各部に必要な電源を生成する。
【００５２】
電源制御手段９８はＣＰＵ９４の制御に従って電源回路９６の制御を行い、電池充電手段１００はＣＰＵ９４の制御に従って電池パック１１に内蔵される電池セル１０２に充電電流を供給する。
【００５３】
電池電圧検出手段１０４は電池パック１１の出力電圧を監視し、電圧低下や電圧上昇の情報をＣＰＵ９４に知らせる。
【００５４】
電池検出端子１１２、１１３は、デジタルカメラ１０内の基準電位（ＧＮＤ）に接続されている。また、電池検出端子１１２、１１３は電池パック１１の本体検出端子５０、５２と接続される。電池パック１１の本体検出端子とデジタルカメラ１０の電池パック検出端子は互いに接続可能な端子構造になっている。
【００５５】
本実施形態では、本体検出端子５０、５２は図３に示すような凸形状を例示したが、これに限定されない。本体検出端子を凹形状とし電池検出端子１１２、１１３を凸形状にしてもよい。
【００５６】
また、本実施形態では本体検出端子５０、５２および電池検出端子１１２、１１３を２端子設けたが、これらは１端子でもよいし２つ以上の端子を設けてもよい。
【００５７】
本体検出端子５０、５２および電池検出端子１１２、１１３はデジタルカメラ１０を持ち歩く際の振動や衝撃で接続不良が発生しないような構造であることが好ましい。例えば、本体検出端子５０および５２に図３の上方向から押し操作を加えると電池パック１１内に押し込むことができ、押し操作を解除すると本体検出端子５０、５２が押し操作前の位置に戻るような構造とする。
【００５８】
電池パック１１をデジタルカメラ１０の電池ホルダー１４に装着すると、電池検出端子１１２、１１３と接触しさらに本体検出端子５０、５２が電池パック１１内に押し込まれた状態で電池パック１１が電池ホルダー１４に装着されるように構成する。
【００５９】
無線タグ１２は、デジタルカメラ１０の情報が記録されており、電磁波によってデジタルカメラ１０外部にデジタルカメラ１０の情報（カメラ情報）を送出する。
【００６０】
電池パック１１は、表面に電池出力４６、４８、本体検出端子５０、５２を有し、内部には電池セル１０２、トランジスタ１１４、無線タグリーダー１３、ダイオード１１８およびＦＥＴ１２０を有している。
【００６１】
電池セル１０２の正極はＦＥＴ１２０を介して電池出力（正極）４６およびトランジスタ１１４のエミッタに接続され、電池セル１０２の負極は電池出力（負極）４８に接続される。ＦＥＴ１２０のソースは電池セル１０２の正極に接続され、ＦＥＴ１２０のドレインは電池パック１１の電池出力（正極）に接続される。
【００６２】
トランジスタ１１４のベースは本体検出端子５０に接続され、トランジスタ１１４のコレクタは無線タグリーダー１３に接続される。
【００６３】
また、無線タグリーダー１３はダイオード１１８を介してＦＥＴ１２０のゲートに接続される。ダイオード１１８は無線タグリーダー１３にアノード、ＦＥＴ１２０のゲートにカソードが接続される。
【００６４】
なお、トランジスタ１１４はＦＥＴに置き換え可能であり、ＦＥＴ１２０はトランジスタに置き換え可能である。また、トランジスタ１１４はＰＮＰ型でもよいしＮＰＮ型でもよいし、ＦＥＴ１２０はＰチャネル型でもよいしＮチャネル型でもよい。トランジスタ１１４およびＦＥＴ１２０はどちらも電源供給路のスイッチ素子として使用されており低損失のデバイスを用いることが好ましい。
【００６５】
次に、図５を用いて無線タグ１２を説明する。無線タグ１２は無線アンテナ１４０により無線タグリーダー１３が送出した誘導電波を受信すると、誘導電波により電源が励起され動作可能になる。
【００６６】
無線タグ１２が動作可能になると、制御部１４２は所定の信号を出力し続け、制御部１４２から出力された電気信号は無線通信インターフェイス部１４４により無線信号に変換され、無線アンテナ１４０を介して無線タグ１２外部に送出される。無線タグ１２は当該誘導電波を受信している間、所定の信号を出力し続ける。
【００６７】
一方、誘導電波が受信できなくなると、無線タグ１２は動作を停止し、無線アンテナ１４０から送出されていた無線信号は遮断される。
【００６８】
本実施形態では、本実施形態では誘導電波により無線タグ１２の電源を励起する形態を例示したが、無線タグ１２に電池を備えてもよいし、デジタルカメラ１０から電源供給を受けてもよい。
【００６９】
また、無線タグ１２が誘導電波を受けると所定の無線信号を出力し続け、誘導電波を受信できなくなると無線信号出力が遮断される形態を例示したが、予め記録部１４６にカメラ情報を記録し、無線信号形態に変換されたカメラ情報を無線アンテナ１４０より無線タグ１２外部に送出する形態も可能である。
【００７０】
無線タグ１２が送出する所定の無線信号には、アナログ波やデジタル波等があり、何れの形態でもよい。
【００７１】
カメラ情報には型式、製造番号、製造年月日、制御ソフトバージョン等があり、前述した情報のうち何れの情報を記録部１４２に記録させてもよい。
【００７２】
本実施形態では、無線タグ１２を１つだけ備えたが、無線タグ１２を複数個備え、それぞれに異なるカメラ情報を記録させてもよい。
【００７３】
図６を用いて、無線タグリーダー１３について説明する。無線タグリーダー１３は電池セル１０２から電源入力部１５０を介して電源が供給される。無線タグリーダー１３は無線アンテナ１５２から誘導電波を送出して、無線タグ１２に電源を励起させる。一方、無線タグ１２から送出される無線信号を無線アンテナ１５２が受信すると、無線インターフェイス部１５４によって無線信号は電気信号に変換され、制御部１５６に送られる。無線タグ１２から所定の無線信号が送られている間は、制御部１５６は信号出力部１５８を介して無線タグリーダー１３外部に信号を出し続け、無線タグ１２からの信号が遮断されると、制御部１５６は信号出力を停止し、無線タグリーダー１３外部への出力は停止される。
【００７４】
本実施形態では無線タグリーダー１３には電池セル１０２から電源を供給する形態を例示したが、無線タグリーダー１３が電池を備えてもよい。
【００７５】
また、無線タグリーダー１３は無線タグ１２から送出される無線信号を受信しているか否かによって信号出力部１５８から信号を出力するか、信号出力をしないかの制御を行ったが、制御の方法はこれに限定されない。無線タグからカメラ情報を送出させ、受信したカメラ情報を一時記憶し、必要に応じてカメラ情報を出力する形態も考えられる。この場合には、記憶手段（ＲＡＭ）を備えるとよい。
【００７６】
さらに、無線タグリーダー１３は、当該カメラ情報の照合を行い、照合結果により電池パック１１の出力の開閉を行うこともできる。電子機器と電池パック１１の適合機種同士が合致したときにだけ電池パック１１が使用できる形態が可能になる。
【００７７】
無線タグリーダー１３を電池パック１１に内蔵する態様を示したが、無線タグリーダー１３を電池パック１１の表面に備えてもよい。
【００７８】
次に、電池パック１１の電池出力開閉制御について説明する。図７は電池パック１１の電池出力開閉制御の流れを示したフローチャートである。
【００７９】
電池パック１１がデジタルカメラ１０本体の電池ホルダー１４に装填されると（ステップＳ１２）、電池パック１１の電池出力４６、４８とデジタルカメラ１０の電池端子１０６および１０８がそれぞれ接続される。
【００８０】
また、電池パック１１の本体検出端子５０、５２とデジタルカメラ１０の電池検出端子１１２、１１３が接続され、電池パック１１がデジタルカメラ１０本体を検出すると（ステップＳ１４）、本体検出端子５０、５２はデジタルカメラ１０と電池パック１１の基準電位（ＧＮＤ）となり、トランジスタ１１４がオンになる。
【００８１】
トランジスタ１１４がオンになると電池セル１０２から無線タグリーダー１３に電源が供給され、無線タグリーダー１３が動作可能になり（ステップＳ１６）、誘導電波（破線で図示）を送出する（ステップＳ１８）。
【００８２】
無線タグリーダー１３から送出される誘導電波を無線タグ１２が受信できないと（ＮＯ判定）、無線タグ１２は誘導電波受信待ちとなり、無線タグ１２が誘導電波を受信すると（ＹＥＳ判定）、無線タグ１２は動作を開始し（ステップＳ２２）、無線タグ１２は所定の無線信号（破線で図示）を送出する（ステップＳ２４）。無線タグ１２は所定の無線信号を送出すると無線タグリーダー１３から送出される誘導電波受信待ちになる（ステップＳ２０）。
【００８３】
無線タグリーダー１３は無線タグ１２から送出される無線信号の受信待ちを行い（ステップＳ２６）、無線信号が受信されないと（ＮＯ判定）、無線信号待ちを継続し、無線信号が受信されると（ＹＥＳ判定）、無線タグリーダー１３はＦＥＴ１２０のオン信号を出力し、ＦＥＴ１２０がオンとなる（ステップＳ２８）。ＦＥＴ１２０がオンになると電池セル１０２の出力電圧が電池出力４６、４８に出力され、電池パック１１は電池出力を出力し（ステップＳ３０）、ステップＳ３２へ進む。
【００８４】
ステップＳ３２では本体検出を監視し、電池パック１１がデジタルカメラ１０から取り外され、本体検出ができないと（ＮＯ判定）、電池パック１１の電池出力を遮断し（ステップＳ３４）、処理を終了する（ステップＳ３６）。
【００８５】
一方、  ステップＳ３２において本体が検出されている場合には（ＹＥＳ判定）、本体検出の監視を継続する。
【００８６】
本実施形態ではデジタルカメラを例示したが、本発明の適用範囲はデジタルカメラに限定されない。ＰＤＡ、パソコン、携帯電話などを含む二次電池を使用する電子機器に適用可能である。
【００８７】
上記の如く構成された電子機器の制御システムおよび電子機器並びに二次電池では、デジタルカメラ１０に無線タグ１２を備え、電池パック１１には無線タグリーダー１３を備える。無線タグ１２が送出したカメラ情報を電池パック１１は無線タグリーダー１３により取得できる。また、電池パック１１には本体検出端子５０、５２を備えたので、電池パック１１がデジタルカメラ１０本体（電池ホルダー１４）に装填されたか否かを検出することが可能である。さらに、電池パック１１はカメラ情報を得ると電池出力４６、４８の開閉制御を行うことが可能である。電池パック１１は、デジタルカメラ１０本体に装填されると、電池出力４６、４８から電圧および電流を出力し、電池パック１１がデジタルカメラ１０に装填されないと、電池出力４６、４８を遮断して電圧および電流の出力を停止する。したがって、電池パック１１がデジタルカメラ１０に装填されていないと電池パック１１の電池出力４６、４８は出力を出さないので、電池パック１１の電池出力４６、４８を短絡しても電池セル１０２がショートされず安全である。また、電池セル１０２は短絡することがないので電池セル１０２の性能が劣化しない。
【００８８】
さらに、ユーザがカメラ１０に電池パック１１を装着していないときには本体検出端子５０、５２が基準電位（ＧＮＤ）にならないため、Ｔｒ１がＯＮしないので、電池セル１０２の漏れ電流を低く抑えることができる。
【００８９】
【発明の効果】
本発明によれば、電子機器には情報を送出する情報提供手段を備え、バッテリーユニットには情報を取得する情報取得手段を備え、情報取得手段が情報を取得すると当該バッテリーユニットは電力供給を行い、情報取得手段が情報を取得できないとバッテリーユニットは出力手段を遮断し、電力供給を停止する。したがって、当該バッテリーユニットは、電子機器からの情報を取得できないと出力手段を遮断するので、出力手段を手で触ったり、導電物でショートさせてもバッテリーがショートされないので安全である。
【００９０】
さらに、バッテリーユニットに、バッテリーユニットが電子機器本体に装填されたか否かを検出する本体装填検出手段を備えると、バッテリーユニットが電子機器本体に装填されるとバッテリーユニットの出力を開き、バッテリーユニットが電子機器本体に装填されないとバッテリーユニットの出力が遮断される制御が可能になる。
【図面の簡単な説明】
【図１】本発明の実施形態に係るデジタルカメラの制御システムの概略図
【図２】本発明の実施形態に係るデジタルカメラの斜視図
【図３】本発明の実施形態に係る二次電池の斜視図
【図４】本発明の実施形態に係るデジタルカメラの制御システムのブロック図
【図５】無線タグのブロック図
【図６】無線タグリーダーのブロック図
【図７】本発明の実施形態に係るデジタルカメラの制御の流れを示すブロック図
【符号の説明】
１０…デジタルカメラ、１１…電池パック、１２…無線タグ、１３…無線タグリーダー、５０…本体検出端子、１０２…電池セル、１１２，１１３…電池検出端子、１１４…トランジスタ、１２０…ＦＥＴ
【図１】
2004304975.tif 000003
【図２】
2004304975.tif 000004
【図３】
2004304975.tif 000005
【図４】
2004304975.tif 000006
【図５】
2004304975.tif 000007
【図６】
2004304975.tif 000008
【図７】
2004304975.tif 000009